(57)【特許請求の範囲】
【請求項１】
合成樹脂成形体とし、キャスターのフレーム（２）の両側からこのフレーム（２）を被覆するように二分割体とした被覆体（１１ａ、１１ｂ）からなり、被覆体（１１ａ、１１ｂ）のそれぞれに、キャスターの固定ボルト（１）下方のフレーム（２）の周囲部（２ａ）を被うようにした被覆部（１２ａ）を、前記フレーム（２）の上板（２ｂ）および車輪（３）の上方を被うようにした被覆部（１２ｂ）を、前記フレーム（２）の側板（２ｃ）を被うようにした被覆部（１２ｃ）を、さらにキャスターの車輪（３）のホイール（３ａ）側面を被うようにした防塵被覆部（１２ｄ）をそれぞれ形成したものとし、被覆体（１１ａ、１１ｂ）の一方に、前記車輪（３）の止めボルト（４）のナット（５）を包囲するようにしたキャップ状被覆部（１２ｅ）および前記フレーム（２）の側板（２ｃ）の下端部との係合部（１３ａ）を形成し、被覆体（１１ａ、１１ｂ）の他方に、前記車輪（３）の止めボルト（４）の頭部（４ｂ）を包囲するようにしたキャップ状被覆部（１２ｆ）およびフレーム（２）の側板（２ｃ）の下端部との係合部（１３ａ）を形成し、さらに被覆体（１１ａ、１１ｂ）のそれぞれの前後端に、これら被覆体（１１ａ、１１ｂ）を一体に係合しておくための係合手段（１４、１５）を設けたことを特徴とするキャスターカバー。
【請求項２】
前記被覆体（１１ａ、１１ｂ）のそれぞれに、前記上板（２ｂ）の端部との係合部（１３ｂ）を形成し、さらに前記フレーム（２）の側板（２ｃ）に設けた係止孔（６）との係合部（１３ｃ）を形成したことを特徴とする請求項１記載のキャスターカバー。
【請求項３】
前記被覆体（１１ａ、１１ｂ）の一方の被覆部（１２ｂ）の内側端縁に延長鍔（１６）を設け、この延長鍔（１６）を他方の被覆部（１２ｂ）の内側端縁の上方に被さるようにしたことを特徴とする請求項１記載のキャスターカバー。
【請求項４】
前記被覆体（１１ａ、１１ｂ）の前端に設けた係合手段（１４）を、被覆体（１１ａ、１１ｂ）の一方に設けた係合凹部（１４ａ）に、被覆体（１１ａ、１１ｂ）の他方に設けた係合凸部（１４ｂ）を係合するようにしたことを特徴とする請求項１記載のキャスターカバー。
【請求項５】
前記被覆体（１１ａ、１１ｂ）の後端に設けた係合手段（１５）を、被覆体（１１ａ、１１ｂ）のそれぞれに設けた係合凸部（１５ａ）に、係合体（１７）の係合凹部（１７ａ）を係合するようにしたことを特徴とする請求項１記載のキャスターカバー。
【発明の詳細な説明】
【０００１】
【発明の属する技術分野】
この発明は、買物用カート、ベビーカー、その他各種の運搬車や搬送用機器類の底部などに取り付けて使用されるキャスターにおけるカバーに関するものである。
【０００２】
【従来の技術】
従来、この種のキャスターカバーは、例えば図１４、１５に示したように、固定ボルト１の下方に旋回自在に取り付けられた略倒Ｕ字形のフレーム２に、車輪３をボルト４およびナット５により回転自在に取り付けたキャスターに装着したものが存在する。
【０００３】
このキャスターカバーは、前記車輪３のホイール３ａの両側面に寄り添う側板２１にこれら側板２１と一体として、車輪３の上方被覆部２２ａおよび側方被覆部２２ｂを設けると共に、前記側板２１にこれら側板２１と一体として、車輪３のホイール３ａの側面の防塵被覆部２２ｃを設けたものとしている。さらに、前記側板２１には、略倒Ｕ字形のフレーム２の両側板２ｃがそれぞれ外方から嵌まり込む嵌合部２３を形成すると共に、フレーム２の両側板２ｃの下部に設けた支軸孔７にそれぞれ一致する支軸孔２４を設けたものとしている。また、前記上方被覆部２２ａには、フレーム２の上板２ｂの端部が嵌まり込む嵌合部２５を形成したものとしている。
【０００４】
そして、このキャスターカバーは、前記側板２１の嵌合部２３へのフレーム２の両側板２ｃの嵌まり込みと、前記上方被覆部２２ａの嵌合部２５へのフレーム２の上板２ｂの端部の嵌まり込みにより、キャスターのフレームに装着したものとしている。
【０００５】
このように構成された従来のキャスターカバーは、糸くずや髪の毛、その他塵類がキャスターの車輪３に絡みついたり、フレーム２と車輪３の間に幼児などが手指を詰めて怪我をするのを有効に防止していた。
【０００６】
【発明が解決しようとする課題】
しかしながら、上記従来のキャスターカバーでは、フレーム２の両側板２ｃや上板２ｂを被覆することができず、さらに車輪３を取り付けておくためのボルト４の頭部４ａやナット５も被覆することができずに、キャスターのこれら金属部分が露出したままとなっているため、キャスター走行中に、備品やその他の器物などに追突したり、接触した場合に、それら備品や器物などに傷を付けてしまい易いという課題を有していた。
【０００７】
さらに、上記従来のキャスターカバーでは、フレーム２からボルト４およびナット５を取り外した状態にしないと、フレーム２に装着することができないため、その取り付け、取り外しが面倒であるという課題を有していた。
【０００８】
そこで、この発明は、上記従来の課題を解決するものであり、フレーム全体を被覆することにより、キャスター走行中に、備品やその他の器物などに追突したり、接触した場合にも、それら備品や器物などに傷を付けてしまうことがなく、フレームからボルトおよびナットを取り外した状態にしないでも、そのままの状態で簡単に装着することのできるキャスターカバーを提供することを目的としてなされたものである。
【０００９】
【課題を解決するための手段】
そのため、この発明のキャスターカバーは、合成樹脂成形体とし、キャスターのフレーム２の両側からこのフレーム２を被覆するように二分割体とした被覆体１１ａ、１１ｂからなり、被覆体１１ａ、１１ｂのそれぞれに、キャスターの固定ボルト１下方のフレーム２の周囲部２ａを被うようにした被覆部１２ａを、前記フレーム２の上板２ｂおよび車輪３の上方を被うようにした被覆部１２ｂを、前記フレーム２の側板２ｃを被うようにした被覆部１２ｃを、さらにキャスターの車輪３のホイール３ａ側面を被うようにした防塵被覆部１２ｄをそれぞれ形成したものとし、被覆体１１ａ、１１ｂの一方に、前記車輪３の止めボルト４のナット５を包囲するようにしたキャップ状被覆部１２ｅおよび前記フレーム２の側板２ｃの下端部との係合部１３ａを形成し、被覆体１１ａ、１１ｂの他方に、前記車輪３の止めボルト４の頭部４ｂを包囲するようにしたキャップ状被覆部１２ｆおよびフレーム２の側板２ｃの下端部との係合部１３ａを形成し、さらに被覆体１１ａ、１１ｂのそれぞれの前後端に、これら被覆体１１ａ、１１ｂを一体に係合しておくための係合手段１４、１５を設けたものとしている。
【００１０】
そして、この発明のキャスターカバーは、前記被覆体１１ａ、１１ｂのそれぞれに、前記上板２ｂの端部との係合部１３ｂを形成し、さらに前記フレーム２の側板２ｃに設けた係止孔６との係合部１３ｃを形成したものとしている。
【００１１】
さらに、この発明のキャスターカバーは、前記被覆体１１ａ、１１ｂの一方の被覆部１２ｂの内側端縁に延長鍔１６を設け、この延長鍔１６を他方の被覆部１２ｂの内側端縁の上方に被さるようにしている。
【００１２】
また、この発明のキャスターカバーは、前記被覆体１１ａ、１１ｂの前端に設けた係合手段１４を、被覆体１１ａ、１１ｂの一方に設けた係合凹部１４ａに、被覆体１１ａ、１１ｂの他方に設けた係合凸部１４ｂを係合するようにしている。
【００１３】
さらにまた、この発明のキャスターカバーは、前記被覆体１１ａ、１１ｂの後端に設けた係合手段１５を、被覆体１１ａ、１１ｂのそれぞれに設けた係合凸部１５ａに、係合体１７の係合凹部１７ａを係合するようにしている。
【００１４】
【発明の実施の形態】
以下、この発明のキャスターカバーの実施の形態を、図面に基づいて詳細に説明する。
【００１５】
図１〜３は、この発明のキャスターカバーを市販のキャスターに装着した状態を示している。キャスターは、図４〜６に示したように、固定ボルト１の下方に旋回自在に取り付けられた略倒Ｕ字形のフレーム２に、車輪３を止めボルト４およびナット５により回転自在に取り付けたものとしている。
【００１６】
この発明のキャスターカバーは、合成樹脂成形体とし、前記キャスターのフレーム２の両側からこのフレーム２を被覆するように二分割体とした被覆体１１ａ、１１ｂからなるものとしている。
【００１７】
被覆体１１ａ、１１ｂのそれぞれには、前記キャスターの固定ボルト１下方のフレーム２の周囲部２ａを被うようにした被覆部１２ａを形成し、前記フレーム２の上板２ｂおよび車輪３の上方を被うようにした被覆部１２ｂを前記被覆部１２ａに連設して形成したものとしている。さらに、被覆体１１ａ、１１ｂのそれぞれには、前記フレーム２の側板２ｃを被うようにした被覆部１２ｃを前記被覆部１２ａおよび被覆部１２ｂに連設して形成したものとしている。また、被覆体１１ａ、１１ｂのそれぞれには、前記車輪３のホイール３ａ側面を被うようにした防塵被覆部１２ｄを前記被覆部１２ｃに連設して形成したものとしている。
【００１８】
被覆体１１ａ、１１ｂの一方、例えば被覆体１１ａには、前記キャスターの車輪３の止めボルト４のナット５を包囲するようにしたキャップ状被覆部１２ｅおよびフレーム２の側板２ｃの下端部との係合部１３ａを形成したものとしている。被覆体１１ａ、１１ｂの他方には、例えば被覆体１１ｂには、キャスターの車輪３の止めボルト４の頭部４ｂを包囲するようにしたキャップ状被覆部１２ｆおよびフレーム２の側板２ｃの下端部との係合部１３ａを形成したものとしている。
【００１９】
また、被覆体１１ａ、１１ｂのそれぞれには、前記上板２ｂの端部との係合部１３ｂを形成し、被覆体１１ａ、１１ｂのそれぞれの前後端には、これら被覆体１１ａ、１１ｂを一体に係合しておくための係合手段１４、１５を設けたものとしている。さらに、被覆体１１ａ、１１ｂのそれぞれには、必要に応じて、フレーム２の側板２ｃに設けた係止孔６との係合部１３ｃを形成したものとしている。そして、被覆体１１ａ、１１ｂの一方、例えば被覆体１１ａには、必要に応じて、その被覆部１２ｂの内側端縁に延長鍔１６を設け、この延長鍔１６を他方の被覆体１１ｂの被覆部１２ｂの内側端縁の上方に被さるようにしている。なお、前記係合部１３ａ、１３ｃは爪状体としており、係合部１３ｂは係合溝としているが、このようなものに限定されることはない。
【００２０】
前記被覆体１１ａ、１１ｂの前端に設けた係合手段１４は、被覆体１１ａ、１１ｂの一方、例えば被覆体１１ａに設けた係合凹部１４ａに、被覆体１１ａ、１１ｂの他方、例えば被覆体１１ｂに設けた係合凸部１４ｂを係合するようにしている。さらに、前記被覆体１１ａ、１１ｂの後端に設けた係合手段１５は、被覆体１１ａ、１１ｂのそれぞれに設けた係合凸部１５ａに、係合体１７の係合凹部１７ａを係合するようにしている。
【００２１】
以上のように構成したこの発明のキャスターカバーをキャスターに装着するには、次のようにして行う。
【００２２】
先ず、この発明のキャスターカバーの二分割体とした被覆体１１ａ、１１ｂの一方、例えば被覆体１１ａの被覆部１２ａをキャスターのフレーム２の周囲部２ａの片側に、被覆部１２ｂを上板２ｂおよび車輪の上方の片側に、被覆部１２ｃを側板２ｃの片側に、防塵被覆部１２ｄを車輪３のホイール３ａの側面の片側に被せる。すると、被覆体１１ａのキャップ状被覆部１２ｅに、キャスターの車輪３の止めボルト４のナット５が包囲されて、このナット５も被覆体１１ａに被われた状態となり、被覆体１１ａの係合部１３ａがキャスターのフレーム２の側板２ｃの下端部に係合した状態となり、被覆体１１ａの係合部１３ｂがキャスターのフレーム２の上板２ｂの端部に係合した状態となり、さらに被覆体１１ａの係合部１３ｃがキャスターのフレーム２の側板２ｃの係合孔６に係合した状態となる。
【００２３】
次に、この発明のキャスターカバーの二分割体とした被覆体１１ａ、１１ｂの他方、例えば被覆体１１ｂの被覆部１２ａをキャスターのフレーム２の周囲部２のもう片側に、被覆部１２ｂを上板２ｂおよび車輪の上方のもう片側に、被覆部１２ｃを側板２ｃのもう片側に、防塵被覆部１２ｄを車輪３のホイール３ａの側面のもう片側に被せる。すると、被覆体１１ｂのキャップ状被覆部１２ｆに、キャスターの車輪３の止めボルト４の頭部４ａが包囲されて、この頭部４ａも被覆体１１ｂに被われた状態となり、被覆体１１ｂの係合部１３ａがキャスターのフレーム２の側板２ｃの下端部に係合した状態となり、被覆体１１ｂの係合部１３ｂがキャスターのフレーム２の上板２ｂの端部に係合した状態となり、さらに被覆体１１ｂの係合部１３ｃがキャスターのフレーム２の側板２ｃの係合孔６に係合した状態となる。
【００２４】
このとき、被覆体１１ｂの被覆部１２ｂの内側端縁と被覆体１１ａの被覆部１２ｂの内側端縁とが当接し、この被覆体１１ｂの係合手段１４の係合凹部１４ａに、被覆体１１ａの係合手段１４の係合凸部１４ｂが係合することになる。さらに、被覆体１１ｂの係合手段１５の係合凸部１５ａと、被覆体１１ａの係合手段１５の係合凸部１５ａとが当接することになる。そして、この当接した係合凸部１５ａに、係合体１７の係合凹部１７ａを係合させれば、被覆体１１ａ、１１ｂはキャスターのフレーム２から外れない状態でこのフレーム２に装着されることになる。なお、前記被覆体１１ｂの被覆部１２ｂの内側端縁と被覆体１１ａの被覆部１２ｂの内側端縁とが当接したとき、被覆体１１ａの被覆部１２ｂの内側端縁の延長鍔１６が被覆体１１ｂの被覆部１２ｂの内側端縁の上方を被い、これら当接した内側端縁どうしの間に隙間が生じないものとなる。
【００２５】
【発明の効果】
この発明のキャスターカバーは、以上に述べたように構成されており、フレーム全体が被覆されるので、キャスター走行中に、備品やその他の器物などに追突したり、接触した場合にも、それら備品や器物などに傷を付けてしまうことがなく、またフレームからボルトおよびナットを取り外した状態にしないでも、そのままの状態で簡単に装着することのできるものとなった。
【図面の簡単な説明】
【図１】この発明のキャスターカバーのキャスターへの装着状態を示す側面図である。
【図２】この発明のキャスターカバーのキャスターへの装着状態を示す平面図である。
【図３】この発明のキャスターカバーのキャスターへの装着状態を示す正面図である。
【図４】この発明のキャスターカバーを装着するキャスターの断面図である。
【図５】この発明のキャスターカバーを装着するキャスターの平面図である。
【図６】この発明のキャスターカバーを装着するキャスターの正面図である。
【図７】この発明のキャスターカバーの内側面図である。
【図８】この発明のキャスターカバーの平面図である。
【図９】この発明のキャスターカバーを装着した状態を示すキャスターの断面図である。
【図１０】この発明のキャスターカバーの二分割体とした被覆体の係合状態を示す部分断面図である。
【図１１】この発明のキャスターカバーの二分割体とした被覆体の係合体の正面図である。
【図１２】この発明のキャスターカバーの二分割体とした被覆体の係合体の側面図である。
【図１３】この発明のキャスターカバーの二分割体とした被覆体の係合体の底面図である。
【図１４】従来のキャスターカバーのキャスターへの装着状態を示す斜視図である。
【図１５】従来のキャスターカバーをキャスターから取り外した状態を示す分解斜視図である。
【符号の説明】
１  固定ボルト
２  フレーム
２ａ  周囲部
２ｂ  上板
２ｃ  側板
３  車輪
３ａ  ホイール
４  止めボルト
４ａ  頭部
５  ナット
６  係止孔
１１ａ  被覆体
１１ｂ  被覆体
１２ａ  被覆部
１２ｂ  被覆部
１２ｃ  被覆部
１２ｄ  防塵被覆部
１２ｅ  キャップ状被覆部
１２ｆ  キャップ状被覆部
１３ａ  係合部
１３ｂ  係合部
１３ｃ  係合部
１４  係合手段
１４ａ  係合凹部
１４ｂ  係合凸部
１５  係合手段
１５ａ  係合凸部
１６  延長鍔
１７  係合体
１７ａ  係合凹部
【図１】
0003617006.tif 000002
【図２】
0003617006.tif 000003
【図３】
0003617006.tif 000004
【図４】
0003617006.tif 000005
【図５】
0003617006.tif 000006
【図６】
0003617006.tif 000007
【図７】
0003617006.tif 000008
【図８】
0003617006.tif 000009
【図９】
0003617006.tif 000010
【図１０】
0003617006.tif 000011
【図１１】
0003617006.tif 000012
【図１２】
0003617006.tif 000013
【図１３】
0003617006.tif 000014
【図１４】
0003617006.tif 000015
【図１５】
0003617006.tif 000016